(57)【特許請求の範囲】
【請求項１】
合成樹脂材により成形する上部外槽１に一体に連続させて形設し、締結具３挿通用の挿通穴ｂ…を形成しておく接合フランジａと、これに対向させて合成樹脂材により成形する下部外槽２に一体に連続させて付設し、前記挿通穴ｂと対向する位置に挿通穴ｂ’を形成しその挿通穴ｂ’よりも内側位置にシール剤ｃの盛り付け溝ｄを形成しておく接合フランジａ’とを、それらの間にシール剤ｃを介装して接合し、それら接合フランジａと接合フランジａ’とに予め形設した挿通穴ｂ・ｂ’に締結具３…を挿通して締結する上部外槽１と下部外槽２との接続装置において、上部外槽１の接合フランジａと下部外槽２の接合フランジａ’との対向する接合面には、それら接合面の少なくとも一方の接合フランジの接合面に、他方の接合フランジの接合面に向け突出して、締結具３の締結により閉じ合わされる上部外槽１の接合フランジａと下部外槽２の接合フランジａ’との対向する接合面同志の間で締結具３の周囲の部位に、突出高さに対応する空隙を形成せしめる突起部ｗを、その接合面に形設してある挿通穴ｂ’…の近傍でその挿通穴ｂ’…から少し離した部位に形設したことを特徴とする浄化槽における上部外槽と下部外槽との接続装置。
【請求項２】
締結具３の締結により閉じ合わされる接合フランジａ・ａ’の接合面同志の間で締結具３の周囲の部位に、突出高さに対応する空隙を形成せしめる突起部ｗを、接合フランジの周方向に連続する突条状に形成して、下部外槽２の接合フランジａ’の接合面の、その接合面に形成してある挿通穴ｂ’…よりも外側位置となる部位に装設したことを特徴とする請求項１記載の浄化槽における上部外槽と下部外槽との接続装置。
【請求項３】
締結具３の締結により閉じ合わされる上部外槽１の接合フランジａと下部外槽２の接合フランジａ’との接合面同志の間で締結具３の周囲の部位に、突出高さに対応する空隙を形成せしめる突起部ｗを、接合フランジの周方向に連続する突条状に形成して、下部外槽２の接合フランジａ’の接合面の、その接合面に形成してある挿通穴ｂ’…よりも内側位置となる部位に装設したことを特徴とする請求項１記載の浄化槽における上部外槽と下部外槽との接続装置。
【請求項４】
締結具３の締結により閉じ合わされる上部外槽１の接合フランジａと下部外槽２の接合フランジａ’との接合面同志の間で締結具３の周囲の部位に、突出高さに対応する空隙を形成せしめる突起部ｗを、接合フランジの周方向に連続する突条状に形成して、上部外槽１の接合フランジａの接合面の、その接合面に形成してある挿通穴ｂ…よりも外側位置となる部位に装設したことを特徴とする請求項１記載の浄化槽における上部外槽と下部外槽との接続装置。
【請求項５】
締結具３の締結により閉じ合わされる上部外槽１の接合フランジａと下部外槽２の接合フランジａ’との接合面同志の間で締結具３の周囲の部位に、突出高さに対応する空隙を形成せしめる突起部ｗを、接合フランジの周方向に連続する突条状に形成して、上部外槽１の接合フランジａの接合面の、その接合面に形成してある挿通穴ｂ…よりも内側位置となる部位に装設したことを特徴とする請求項１記載の浄化槽における上部外槽と下部外槽との接続装置。
【請求項６】
締結具３の締結により閉じ合わされる上部外槽１の接合フランジａと下部外槽２の接合フランジａ’との接合面同志の間で締結具３の周囲の部位に、突出高さに対応する空隙を形成せしめる突起部ｗを、それぞれ独立する多数の円錐状ないし疣状に形成して、下部外槽２の接合フランジａ’の接合面の、その接合面に形成してある挿通穴ｂ’…の近傍で、その挿通穴ｂ’…から少し離した部位に配位して装設したことを特徴とする請求項１記載の浄化槽における上部外槽と下部外槽との接続装置。
【請求項７】
締結具３の締結により閉じ合わされる上部外槽１の接合フランジａと下部外槽２の接合フランジａ’との接合面同志の間で締結具３の周囲の部位に、突出高さに対応する空隙を形成せしめる突起部ｗを、それぞれ独立する多数の円錐状ないし疣状に形成して、上部外槽１の接合フランジａの接合面の、その接合面に形成してある挿通穴ｂ…の近傍で、その挿通穴ｂ…から少し離した部位に配位して装設したことを特徴とする浄化槽における上部外槽と下部外槽との接続装置。
【発明の詳細な説明】
【０００１】
【発明が属する技術分野】
本発明は、家庭の雑排水等の有機性汚水を生物学的に処理する汚水の処理装置に用いる有機性汚水を流入させる処理槽（浄化槽）のうちで、特に、この浄化槽を、合成樹脂材により、接合フランジを具備する上部外槽と下部外槽とに分けて別々に成型し、これらの接合フランジを閉じ合わせてボルト・ナットなどの締結具により接続することで組み立てられるカプセル型の浄化槽に関するもので、この浄化槽の上部外槽と下部外槽とを接合する接合手段についての改良に関する。
【０００２】
【従来の技術】
上述の有機性汚水を生物学的に処理するための浄化槽Ａは、工場生産型のものにあっては、通常、図１に示しているように、接合フランジａ・ａをそれぞれ具備する上部外槽１と下部外槽２とを、成型型に樹脂材料を塗布積層して成形するか、プレス型シートモールドコンパウンドを充填してプレスし成形するか、プレス型に合成樹脂材料を射出して成形するか等の手法により成形して、これらを、上部外槽１の接合フランジａと下部外槽２の接合フランジａ’とを突き合わせて、その接合フランジａ・ａ’に、図２に示している如く形設しておく挿通穴ｂ・ｂ’に締結具（ボルト）３…を挿通し、図３にあるようにナット４…を締着して締結することで、図４にあるように浄化槽Ａに組み立てるが、この接合フランジａ・ａ’を締結具３により締結するときには、それらの接合面に、ウレタン系のシール剤（接着剤）ｃを塗着しておく。
【０００３】
このシール剤（接着剤）ｃの塗着は、通常、図２にあるように、一方の接合フランジａである下部外槽２の接合フランジａ’の接合面の、そこに形設してある挿通穴ｂ’…よりも内側に寄る内側位置に、周溝状に連続する接着剤ｃの盛り付け溝ｄを形成しておいて、ここに接着剤ｃを、チューブから絞り出して盛り上がるように注入して盛り付けておくことで、対向する接合フランジａ・ａ’を閉じ合わせたときに、それらの間の接合面に、図３にあるよう所定の厚さの接着剤ｃが介装される状態となるように塗布しておくことで行われる。
【０００４】
これにより、閉じ合わせて締結具３により締結した接合フランジａと接合フランジａ’との接合面を、介装した接着剤ｃによりシールして図４に示しているように浄化槽Ａに組み立てる。
【０００５】
そして、この浄化槽Ａを、所定の敷設位置において地中に埋設し、流入口５０に家庭等の汚水の排出口に通ずる流入管５１を接続し、排出口５２に接続する排水管５３を排水溝に接続連通しておいて、流入口５０から流入してくる汚水を、浄化槽Ａ内で浄化処理し、処理水として排出口５２から配水管５３を経て側溝に放流するように使用される。
【０００６】
【発明が解決しようとする課題】
上述のカプセル型の浄化槽Ａは、各別に成形した上部外槽１と下部外槽２とを、それらに形設しておく接合フランジａと接合フランジａ’とをシール剤ｃを介して突き合わせ、締結具３により締結して閉じ合わせることで組み立てられることから、この接合フランジａと接合フランジａ’との閉じ合わせ部位からの水漏れは無いわけであるが、組み立てられた浄化槽Ａには、この接合フランジａと接合フランジａ’の接合面のシールが不充分で、ここから水漏れの生じてくるものが出てくる問題がある。
【０００７】
本発明は、この問題を解決するためになされたものであって、この接合フランジａと接合フランジａ’との接合部位に、水漏れが生ずることのないようにする新たな接合手段を提供することを目的とする。
【０００８】
【課題を解決するための手段】
そして、本発明においては、上述の目的を達成するための手段として、合成樹脂材により成形する上部外槽１に一体に連続させて形設し、締結具３挿通用の挿通穴ｂ…を形成しておく接合フランジａと、これに対向させて合成樹脂材により成形する下部外槽２に一体に連続させて付設し、前記挿通穴ｂと対向する位置に挿通穴ｂ’を形成しその挿通穴ｂ’よりも内側位置にシール剤ｃの盛り付け溝ｄを形成しておく接合フランジａ’とを、それらの間にシール剤ｃを介装して接合し、それら接合フランジａと接合フランジａ’とに予め形設した挿通穴ｂ・ｂ’に締結具３…を挿通して締結する上部外槽１と下部外槽２との接続装置において、上部外槽１の接合フランジａと下部外槽２の接合フランジａ’との対向する接合面には、それら接合面の少なくとも一方の接合フランジの接合面に、他方の接合フランジの接合面に向け突出して、締結具３の締結により閉じ合わされる上部外槽１の接合フランジａと下部外槽２の接合フランジａ’との対向する接合面同志の間で締結具３の周囲の部位に、突出高さに対応する空隙を形成せしめる突起部ｗを、その接合面に形設してある挿通穴ｂ’…の近傍でその挿通穴ｂ’…から少し離した部位に形設したことを特徴とする浄化槽における上部外槽と下部外槽との接続装置を提起するものである。
【０００９】
しかして、この本発明手段は、上述の目的の達成のために、種々のテストと研究を重ねて得られた知見に基づいて完成したものである。
【００１０】
即ち、上述の接合フランジａと接合フランジａ’との接合部位に生ずる水漏れは、組み立てた浄化槽Ａの内部に水を張り込んで圧力をかけることで行う検査の際に検出されるものであるが、実際には、接合フランジａと接合フランジａ’との接合面に、充分な量の接着剤を盛り付けるように厚く塗り付け、また、締結具３による締着を充分に行ったものにも生じてくるもので、接合フランジａと接合フランジａ’とをシール剤ｃを介装して締結具による閉じ合わせる手段自体に構造的な問題が存在する。
【００１１】
そこで、この閉じ合わせ手段について種々の検討を加えたところ、水漏れは、接合フランジａと接合フランジａ’とを接合して締結具３による締着で閉じ合わせるときに、接合フランジａと接合フランジａ’との間に介装したシール剤ｃが、図５に示しているように、締結具３により締付けるときに接合面に生ずる圧力によって、締結具３の締付け位置と締結具３の締付け位置との中間部位に向けて押し出されるようになり、このとき、接合フランジａ・ａ’が、上部外槽１・下部外槽２を形成している合成樹脂材によってそれと一体に連続して成形されていることから、接合フランジａと接合フランジａ’とが、締結具３により強力に締め付けられるときに、それら接合フランジａ・ａ’の間に介装したシール剤ｃのうちの、締結具３による締結部の周辺のシール剤ｃが、その部位から追い出されて、締結具３と締結具３との中間部位に強力に押し込まれていき、この弾性を具備する合成樹脂材よりなる接合フランジａ・ａ’の、この中間部位に、図５にあるようにこれを膨らませる方向に変形を生ぜしめるようになっていること、そして、この接合フランジａ・ａ’の締結具３と締結具３との中間部位に生ずる変形が、シール剤ｃによるシールを不完全にしていることによるものであることが判ってきた。
【００１２】
そこで、接合フランジａと接合フランジａ’との接合面には、それの一方の接合フランジとなる下部外槽２側の接合フランジａ’の接合面に、そこに、形設しておく挿通穴ｂ’の近傍で、その挿通穴ｂ’から少し離した位置に、図６にあるように接合面よりも突出する突起部ｗを形設しておいて、他方の接合フランジとなる上部外槽１の接合フランジａとに突き合わせて締結具３による締結で閉じ合わせるときに、図７および図１５にあるよう、これら接合フランジａの接合面と接合フランジａ’の接合面との直接の接触がなく、周溝状の盛り付け溝ｄの周辺のみに、必ず突起部ｗの突出高さに対応する厚さに接着剤ｃが存在してくるようにしたところ、シールが完全になって、水漏れの生じない浄化槽製品が得られるようになったことによるものである。
【００１３】
そして、このことから、本発明においては上述の手段を提起するものである。
【００１４】
【発明の実施の形態】
本発明による浄化槽の接合装置は、浄化槽Ａを図１にあるように、上部外槽１と下部外槽２とに分けて、合成樹脂材によりそれらを各別に成形し、その成形の際、素材の合成樹脂材により、それら上部外槽１と下部外槽２の接合部に外側に向けて鍔状に突出する接合フランジａ・ａ’を、一体に連続させて成形しておき、かつ、この接合フランジａ・ａ’には、図２・図３にあるように、それらの接合面に、それらを突き合わせて接合させたときに介装せしめるシール剤ｃを所定量注入して盛り付けるようにするための周溝状の盛り付け溝ｄ（または注入用ガイド溝）を設け、かつ、接合フランジａ・ａ’を接合させたときにそれらを閉じ合わせる締結具３を挿通するための挿通穴ｂ・ｂ’を、所定の間隔を置いた位置に形成しておいて、これにより、上部外槽１と下部外槽２とを、それらの接合フランジａと接合フランジａ’とを突き合わせて接合し、その際、接合面にシール剤ｃを塗布しておいて、挿通穴ｂ・ｂ’に挿通する締結具３…を締着することで、接合フランジａと接合フランジａ’とを閉じ合わせて連結し、浄化槽Ａを組み立てるようにすることについては、従前手段と変わりがなく、同様に構成してよい。
【００１５】
しかし、この接合フランジａ・ａ’には、それらの接合面に、それらの一方の接合フランジの接合面から他方の接合フランジの接合面に向けて突出する突起部ｗを図６・図７にあるように形設しておく。
【００１６】
この突起部ｗは、一対に対向する接合フランジａと接合フランジａ’とを突き合わせて、挿通穴ｂ・ｂ’に挿通した締結具３…を締結することで閉じ合わせるように接合させていくときに、この一方の接合フランジの接合面に設けた突起部ｗが他方の接合フランジの接合面に突き当たることで、締結具３のまわりにおける一方の接合フランジの接合面と他方の接合フランジの接合面との間に、この突起部ｗの突出高さに対応する間隔寸法の間隔を形成して、ここに、一対の接合フランジａ・ａ’の間に塗布したシール剤ｃが、締結具３の締結により接合してくる接合フランジａ・ａ’によって追い出されるようになることがないようにするためのものであり、挿通穴ｂ’の近傍で、その挿通穴ｂ・ｂ’の周囲から少し離れた位置に装設しておく。
【００１７】
そして、この突起部ｗは、一対に対向する接合フランジａ・ａ’の接合面のそれぞれに、対向する接合フランジａ・ａ’の接合面に向けて突出するように設けてもよいが、一方の接合フランジの接合面に設けることで充分である。
【００１８】
また、この突起部ｗは、上部外槽１側の接合フランジａの接合面でも、下部外槽２の接合フランジａ’の接合面でもよく、所望に選択した側の接合フランジに形成してよい。
【００１９】
また、この突起部ｗの形状は任意であり、図６・図７に示す実施例においては、下部外槽２に設けた接合フランジａ’の接合面で、それの内側寄りの部位に周溝状に形設してあるシール剤ｃの盛り付け溝ｄと挿通穴ｂ’…を挟んで対向する外側寄りの部位に、接合フランジａ’の縁枠７０と平行する突条状に形設してあり、これにより、締結具３の締結で、接合フランジａ・ａ’を閉じ合わせたときに、締結具３のまわりに空間が形成されることで、その接合フランジａ・ａ’の接合面に塗着して介装したシール剤ｃが、図７および図８にあるように、周溝状の盛り付け溝ｄの周辺に存在するようになって、よりシール剤ｃが締結具３のまわりから追い出されて、締結具３の締付け位置と締結具３の締付け位置との中間位置に集まり、接合フランジａ・ａ’を変形させることがなくなり、シール剤ｃを図８にあるよう略均一な厚さで接合フランジａ・ａ’の接合面間に介装されるようにする。
【００２０】
次に図９および図１０は、突起部ｗを、前述の実施例と同様に、周方向に連続する突条状に形成して、下部外槽２の接合フランジａ’の接合面の、それの内周側に形設してある周溝状のシール剤ｃの盛り付け溝ｄの外側の側壁を形成する部位に装設した例を示している。
【００２１】
この例においても、締結具３により接合フランジａ・ａ’を締結したときに、図１０に示しているように、突起部ｗが締結具３のまわりにその突起部ｗの突出高さに対応する空間を形成して、周溝状の盛り付け溝ｄに盛り付けたシール剤ｃが締結される接合フランジａ・ａ’の接合面に所定の厚さに介装されるようになる。
【００２２】
次に図１１は、突起部ｗを独立した円錐状ないし疣状に形成して、下部外槽２の接合フランジａ’の接合面に、そこに形設してある挿通穴ｂ…の各近傍位置に配位して装設した例を示している。
【００２３】
この例においても、下部外槽２の接合フランジａ’に上部外槽１の接合フランジａを接合させて締結具３により締結したときに、図１２に示しているように締結具３のまわりの突起部ｗの突出高さに対応する間隔の空間が形成されて、周溝状の盛り付け溝ｄの周辺に、シール剤ｃが所定の厚さに介装されるようになる。
【００２４】
次に図１３は、突起部ｗを連続する突条に形成して上部外槽１側の接合フランジａの接合面の、挿通穴ｂよりも外側に寄る部位に形設した例を示す。
【００２５】
また、図１４は、突起部ｗを同様に連続する突条に形成して、上部外槽１側の接合フランジａの接合面の、挿通穴ｂよりも内側の部位に装設した例を示している。
【００２６】
これらの例においても、締結具３の締結により上部外槽１の接合フランジａと下部外槽２の接合フランジａ’とを閉じ合わせたときに、それら接合フランジａ・ａ’の間に介装したシール剤ｃが、周溝状の盛り付け溝ｄの周辺に略一様の厚さに充填された状態に保持されるようになって、接合フランジａ・ａ’の変形がなくなり、接合面のシールを完全にする。
【００２７】
【発明の効果】
以上説明したように、本発明による浄化槽における上部外槽と下部外槽との接合装置は、上部外槽の接合フランジと下部外槽の接合フランジとの対向する接合面には、それら接合面の少なくとも一方の接合面に、他方の接合フランジの接合面に向けて突出する突起部ｗを、その接合面に形設してある挿通穴ｂ…の近傍で、その挿通穴ｂから少し離した部位に形設しているのだから、締結具３の締結で上部外槽１の接合フランジａと下部外槽２の接合フランジａ’とを閉じ合わせていくときに、それらの接合面の互いの接近が、突起部ｗにより規制されることで、締結具３のまわりに突起部ｗの突出高さに対応する間隔寸法の間隔が形成されて、締結具３の締付部位からシール剤ｃが押し出されていくことがなくなって、接合した接合フランジａ・ａ’の間隔内に、略一様の厚さのシール剤ｃが存在するようになり、シールを完全にするようになる。また、盛り付け溝ｄに盛り付けたシール剤ｃが、締結の際に、盛り付け溝ｄ内に安定して位置してくることで、盛り付け溝ｄに少し溢れる程度にシール剤ｃを盛り付けるだけで、シールが完全に得られることからシール剤ｃの使用量を従前の接合面の全面に塗布していた場合に比して半減できるようになる。
【図面の簡単な説明】
【図１】  浄化槽の上部外槽と下部外槽との組み付け前の斜視図である。
【図２】  同上の浄化槽の下部外槽の接合フランジの部分の破断した斜視図である。
【図３】  同上の接合フランジの上部外槽の接合フランジと締結した状態の縦断面図である。
【図４】  同上浄化槽の上部外槽と下部外槽とを締結して組み立て、敷設した状態における縦断面図である。
【図５】  同上浄化槽の接合フランジの作用の説明図である。
【図６】  本発明手段を実施せる下部外槽の接合フランジの部分の破断した斜視図である。
【図７】  同上の接合フランジの上部外槽の接合フランジと締結した状態における縦断面図である。
【図８】  図７のＩ−Ｉ線の縦断面図である。
【図９】  同上の接合フランジの別の実施例の部分の一部破断した斜視図である。
【図１０】  同上の実施例の接合フランジの上部外槽の接合フランジと締結した状態における縦断面図である。
【図１１】  同上の接合フランジのさらに別の実施例の部分の一部破断した斜視図である。
【図１２】  同上の実施例の接合フランジの上部外槽の接合フランジと締結した状態における縦断面図である。
【図１３】  同上の接合フランジのさらに異なる実施例の対向する接合フランジと締結した状態における縦断面図である。
【図１４】  同上の接合フランジのさらに別の実施例の対向する接合フランジと締結した状態における縦断面図である。
【図１５】  図７のII−II線の横断平面図である。
【符号の説明】
Ａ…浄化槽、ａ・ａ’…接合フランジ、ｂ・ｂ’…挿通穴、ｃ…シール剤（接着剤）、ｄ…盛り付け溝、ｗ…突起部、１…上部外槽、２…下部外槽、３…締結具、４…ナット、５０…流入口、５１…流入管、５２…排出口、５３…排水管、７０…縁枠。
【図１】
0003860730.tif 000002
【図２】
0003860730.tif 000003
【図３】
0003860730.tif 000004
【図４】
0003860730.tif 000005
【図５】
0003860730.tif 000006
【図６】
0003860730.tif 000007
【図７】
0003860730.tif 000008
【図８】
0003860730.tif 000009
【図９】
0003860730.tif 000010
【図１０】
0003860730.tif 000011
【図１１】
0003860730.tif 000012
【図１２】
0003860730.tif 000013
【図１３】
0003860730.tif 000014
【図１４】
0003860730.tif 000015
【図１５】
0003860730.tif 000016